(57)【要約】【課題】カルーセル伝送されるデータの受信を効率良く行って消費電力の低減を図ることを可能とする。【解決手段】一周期分受信判定部１５は、ＤＤＢセクション解析部１３によりカルーセル伝送の一周期分のデータが取り出し終えたならば、停止指示を与えてＤＤＢセクション解析部１３の動作を停止させる。更新チェック部１６は、伝送されてきたデータが変化したならば、更新通知を与えてＤＤＢセクション解析部１３の動作を開始させる。【選択図】    図１
2004153698.tif 000002
【特許請求の範囲】
【請求項１】
データが更新されるまでは同一のデータを含む伝送信号が繰り返し伝送されるデータ伝送システムにて用いられるデータ受信装置において、
前記伝送信号に含まれている前記データを取り出すデータ取出手段と、
このデータ取出手段により前記データが一周期分取り出されたことに応じて前記データ取出手段の動作を停止させる停止手段と、
前記伝送信号に含まれるデータの更新を検出する検出手段と、
この検出手段により更新が検出されたことに応じて前記データ取出手段の動作を開始させる開始手段とを具備したデータ受信装置。
【請求項２】
前記伝送信号は前記データの伝送に関わる制御情報を含むもので、
前記制御情報を取り出す制御情報取出手段を備え、
かつ前記停止手段は、前記データ取出手段により前記データが一周期分取り出されたことに応じて前記データ取出手段の動作を停止させるとともに前記制御情報取出手段の動作を停止させ、
さらに前記開始手段は、前記検出手段により更新が検出されたことに応じて前記データ取出手段の動作を開始させるとともに前記データ取得手段の動作を開始させる請求項１に記載のデータ受信装置。
【請求項３】
前記データ取出手段により取り出された前記データに基づく所定の提示動作を行う提示手段を備え、
かつ前記停止手段は、前記データ取出手段により前記データが一周期分取り出されたことに応じて前記データ取出手段の動作を停止させるとともに前記提示手段による提示内容の更新動作を停止させ、
さらに前記開始手段は、前記検出手段により更新が検出されたことに応じて前記データ取出手段の動作を開始させるとともに前記提示手段による提示内容の更新動作を開始させる請求項１に記載のデータ受信装置。
【請求項４】
前記停止手段は、前記データ取出手段の動作を停止させたのちに自己の動作も停止することとし、
かつ前記開始手段は、前記検出手段により更新が検出されたことに応じて前記データ取出手段の動作を開始させるとともに前記停止手段の動作を開始させる請求項１乃至請求項３のいずれかに記載のデータ受信装置。
【発明の詳細な説明】
【０００１】
【発明の属する技術分野】
本発明は、例えば複数の番組（ｓｅｒｖｉｃｅ）のビデオ、オーディオ、データ等の異なるメディア情報を多重化して伝送する情報データ多重化伝送システムに係わり、特にデータの伝送方式としてカルーセル伝送方式を採用するシステムに用いられてデータの受信を行うデータ受信装置に関する。
【０００２】
【従来の技術】
ビデオ、オーディオ、あるいはデータ等の種類の異なるメディア情報をそれぞれ符号化した後に多重化するシステムとして、ＭＰＥＧ−２システムが知られている。
【０００３】
ＭＰＥＧ−２システムは、先ずビデオおよびオーディオ等の個別素材をそれぞれ連携を保ちながら別個に符号化する。この符号化された個別の各ストリームを、それぞれＰＥＳ（Ｐａｃｋｅｔｉｚｅｄ  Ｅｌｅｍｅｎｔａｒｙ  Ｓｔｒｅａｍ）と呼ばれるパケットに変換する。各ＰＥＳは、ＰＥＳヘッダとＰＥＳペイロードとから構成される可変長パケットである。
【０００４】
一方データに関しては、前記ビデオ、オーディオに付随したサービス形態および独立したサービス形態のどちらの場合においても、ＤＳＭ−ＣＣ（Ｄｉｇｉｔａｌ  Ｓｔｒｅａｍ  Ｍｅｄｉａ−Ｃｏｍｍａｎｄ  ａｎｄ  Ｃｏｎｔｒｏｌ）セクションに変換される。ＤＳＭ−ＣＣセクションもまた可変長で構成される。
【０００５】
次に、このように生成されたＰＥＳおよびＤＳＭ−ＣＣセクションを区切り、これをトランスポート・ストリーム（ＴＳ）の各ＴＳパケットに順次挿入し、伝送する。ＴＳパケットは固定長で構成される。
【０００６】
受信側ではこのＴＳパケットを分解し、ＰＥＳおよびＤＳＭ−ＣＣセクションを再構築する。その後、各々を解析、処理し、提示を行う。
【０００７】
さてこのようなシステムにおいては、ビデオやオーディオはその内容が動的に変化して行く。これに対して、データは内容が変化する周期が長いことが多い。そこでこのような場合には、データの内容が変更されるまで、同一のデータを繰り返し伝送することが行われる。いわゆるカルーセル伝送である。
【０００８】
そしてカルーセル伝送されるデータを受信する場合、従来は伝送信号からのデータの取り出しを常時行っていた。
【０００９】
【発明が解決しようとする課題】
しかしながら、上記した従来のデータ受信装置においては、既に受信し終えたデータと同一のデータを取り出す処理をし続けるため、電力を無駄に消費してしまうという不具合があった。
【００１０】
本発明はこのような事情を考慮してなされたものであり、その目的とするところは、カルーセル伝送されるデータの受信を効率良く行って消費電力の低減を図ることができるデータ受信装置を提供することにある。
【００１１】
【課題を解決するための手段】
以上の目的を達成するために本発明は、伝送信号に含まれているデータを取り出すデータ取出手段の動作を、このデータ取出手段により前記データが一周期分取り出されたことに応じて停止手段が停止させることとした。また前記データ手段の動作を、前記伝送信号に含まれるデータの更新を検出手段が検出したことに応じて、開始手段が開始させることとした。
【００１２】
また別の本発明はさらに、前記伝送信号に含まれる前記データの伝送に関わる制御情報を取り出す制御情報取出手段の動作を、データ取出手段により前記データが一周期分取り出されたことに応じて停止手段が停止させることとした。また前記制御情報取出手段の動作を、前記伝送信号に含まれるデータの更新を検出手段が検出したことに応じて、開始手段が開始させることとした。
【００１３】
また別の本発明はさらに、前記データ取出手段により取り出された前記データに基づく所定の提示動作を行う提示手段による提示内容の更新動作を、データ取出手段により前記データが一周期分取り出されたことに応じて停止手段が停止させることとした。また前記提示手段による提示内容の更新動作を、前記伝送信号に含まれるデータの更新を検出手段が検出したことに応じて、開始手段が開始させることとした。
【００１４】
また別の本発明はさらに、前記停止手段は前記データ取出手段の動作を停止させたのちに自己の動作も停止することとし、かつ前記停止手段の動作を、前記伝送信号に含まれるデータの更新を検出手段が検出したことに応じて、開始手段が開始させることとした。
【００１５】
これらの手段を講じたことにより、データが一周期分取り出されてから伝送信号に含まれるデータが更新されるまでの間には、データ取出手段の動作、制御情報取出手段の動作、提示手段による提示内容の更新動作、あるいは停止手段の動作が適宜停止される。従って、この期間にはこれらの停止される動作による電力消費が低減される。
【００１６】
【発明の実施の形態】
以下、図面を参照しながら本発明の一実施形態について説明する。
【００１７】
図１は、本実施形態に係わる受信端末装置のブロック図である。この受信端末装置は、ＭＰＥＧ−２を利用したマルチメディア伝送システムにて用いられるものである。
【００１８】
この図１に示すように本実施形態の受信端末装置は、受信アンテナ１、無線受信部２、バッファ３、ＴＳ分離部４、制御部５、バッファ６、ビデオ復号器７、バッファ８、オーディオ復号器９、バッファ１０、ＤＩＩセクション解析部１１、バッファ３、ＤＤＢセクション解析部１３、提示処理部１４、一周期分受信判定部１５および更新チェック部１６を有する。
【００１９】
図示しない放送局（送信側装置）から無線伝送路を介して到来した無線伝送信号は、受信アンテナ１を介して無線受信部２に入力される。無線受信部２は、無線伝送信号の周波数を変換した上、トランスポートストリームを復調する。無線受信部は、復調したトランスポートストリームをバッファ３へと与える。バッファ３は、無線受信部２から与えられるトランスポートストリームを一時的に保持しておき、このトランスポートストリームをＴＳ分離部４の処理速度に応じた転送速度でＴＳ分離部４へと与える。
【００２０】
ＴＳ分離部４は、制御部５から与えられるプログラム指定情報に従い、バッファ３から与えられるトランスポートストリームからＴＳパケットを分離する。そしてその分離したＴＳパケットがビデオまたはオーディオの場合にＴＳ分離部４は、そのＴＳパケットをバッファ６またはバッファ８へと与える。分離したＴＳパケットがデータの場合にＴＳ分離部４は、そのＴＳパケットからＤＩＩ（Ｄｏｗｎｌｏａｄ  Ｉｎｆｏ  Ｉｎｄｉｃａｔｉｏｎ）およびＤＤＢ（Ｄｏｗｎｌｏａｄ  Ｄａｔａ  Ｂｌｏｃｋ）を抽出する。このときＴＳ分離部４は、セクション分離も行う。ＴＳ分離部４は、ＤＩＩを更新チェック部１６を介してバッファ１０へと与える。ＴＳ分離部４は、ＤＤＢをバッファ１２へと与える。
【００２１】
バッファ６は、ＴＳ分離部４から与えられたＴＳパケットを一時的に保持しておき、このＴＳパケットをビデオ復号器７での処理速度に応じた転送速度でビデオ復号器７へと与える。ビデオ復号器７は、上記与えられるＴＳパケットに含まれるデータからビデオストリームを復号する。ビデオ復号器７は、復号したビデオストリームを提示処理部１４へと与える。
【００２２】
バッファ８は、ＴＳ分離部４から与えられたＴＳパケットを一時的に保持しておき、このＴＳパケットをオーディオ復号器９での処理速度に応じた転送速度でオーディオ復号器９へと与える。オーディオ復号器９は、上記与えられるＴＳパケットに含まれるデータからオーディオストリームを復号する。オーディオ復号器９は、復号したオーディオストリームを提示処理部１４へと与える。
【００２３】
バッファ１０は、ＴＳ分離部４から与えられたＤＩＩを一時的に保持しておき、このＤＩＩをＤＩＩセクション解析部１１での処理速度に応じた転送速度でＤＩＩセクション解析部１１へと与える。ＤＩＩセクション解析部１１は、上記与えられるＤＩＩの内容（例えばモジュール数等）を解析する。ＤＩＩセクション解析部１１は、解析結果をＤＤＢセクション解析部１３および一周期分受信判定部１５へと与える。ＤＩＩセクション解析部１１は、一周期分受信判定部１５から停止指示が与えられたことに応じて動作を停止する機能を備える。またＤＩＩセクション解析部１１は、更新チェック部１６から更新通知が与えられたことに応じて動作を開始する機能を有する。
【００２４】
バッファ１２は、ＴＳ分離部４から与えられたＤＤＢを一時的に保持しておき、このＤＤＢをＤＤＢセクション解析部１３での処理速度に応じた転送速度でＤＤＢセクション解析部１３へと与える。ＤＤＢセクション解析部１３は、上記与えられるＤＤＢの内容を解析し、これによりデータを復号する。ＤＤＢセクション解析部１３は、復号したデータを提示処理部１４へと与える。またＤＤＢセクション解析部１３は、データの取得状況を一周期分受信判定部１５へと与える。ＤＤＢセクション解析部１３は、一周期分受信判定部１５から停止指示が与えられたことに応じて動作を停止する機能を備える。またＤＤＢセクション解析部１３は、更新チェック部１６から更新通知が与えられたことに応じて動作を開始する機能を有する。
【００２５】
提示処理部１４は、上記ビデオストリーム、オーディオストリームおよびデータの内容をユーザに提示するための処理を行う。提示処理部１４は、一周期分受信判定部１５から停止指示が与えられたことに応じてデータに応じた提示処理に関する更新動作を停止する機能を備える。また提示処理部１４は、更新チェック部１６から更新通知が与えられたことに応じてデータに応じた提示処理に関する更新動作を開始する機能を備える。
【００２６】
一周期分受信判定部１５は、ＤＩＩセクション解析部１１での解析結果と、ＤＤＢセクション解析部１３でのデータの取得状況とに基づいて、カルーセル伝送の一周期分のデータの受信が完了したか否かを判定する。そして一周期分受信判定部１５は、完了したと判定した場合に、ＤＩＩセクション解析部１１、ＤＤＢセクション解析部１３および提示処理部１４へと停止指示を与える。一周期分受信判定部１５は、上記停止指示を出力したのちに動作を停止する機能を有する。また一周期分受信判定部１５は、更新チェック部１６から更新通知が与えられたことに応じて動作を開始する機能を備える。
【００２７】
更新チェック部１６は、ＴＳ分離部４からバッファ１０へと与えられるＴＳパケットに含まれたＤＩＩに示されるｖｅｒｓｉｏｎの変化を監視し、これによりデータの更新を検出する。そしてデータの更新を検出したことに応じて、ＤＩＩセクション解析部１１、ＤＤＢセクション解析部１３、提示処理部１４および一周期分受信判定部１５へと更新通知を与える。
【００２８】
次に以上のように構成された受信端末装置の動作につき説明する。
【００２９】
図示しない放送局から無線伝送路を介して到来した無線伝送信号は、受信アンテナ１を介して無線受信部２に入力される。そして無線伝送信号は、無線受信部２で周波数変換された上で、トランスポートストリームが復調される。このトランスポートストリームは、バッファ３を介してＴＳ分離部４へと与えられる。
【００３０】
ＴＳ分離部４では、上記トランスポートストリームから先ずＰＡＴ（Ｐｒｏｇｒａｍ  ａｓｓｏｃｉａｔｉｏｎ  Ｔａｂｌｅ）が抽出される。なお、ＰＡＴのＰＩＤ（Ｐａｃｋｅｔ  Ｉｄｅｎｔｉｆｉｅｒ）は、「０ｘ００００」である。ＴＳ分離部４ではこのＰＡＴから、上記指定されたプログラムの管理情報が記述されたＰＭＴ（Ｐｒｏｇｒａｍ  Ｍａｐ  Ｔａｂｌｅ）のＰＩＤが検出される。そしてＴＳ分離部４で、このＰＩＤをもとにＰＭＴが抽出され、このＰＭＴの記述からビデオストリームのＰＩＤ、オーディオストリームのＰＩＤ、およびデータのＰＩＤがそれぞれ検出される。次にＴＳ分離部４では、この検出した各ＰＩＤが記述されたＴＳパケットがトランスポートストリームから選択的に分離される。そしてその分離されたＴＳパケットがビデオまたはオーディオの場合には、そのＴＳパケットはビデオ復号器７またはオーディオ復号器９へと与えられる。分離したＴＳパケットがデータの場合にＴＳ分離部４では、そのＴＳパケットからＤＩＩ（Ｄｏｗｎｌｏａｄ  Ｉｎｆｏ  Ｉｎｄｉｃａｔｉｏｎ）およびＤＤＢ（Ｄｏｗｎｌｏａｄ  Ｄａｔａ  Ｂｌｏｃｋ）がそれぞれ抽出される。そしてこのＤＩＩはＤＩＩセクション解析部１１へと与えられる。またＤＤＢはＤＤＢセクション解析部１３へと与えられる。
【００３１】
そして、ビデオ復号器７ではビデオストリームが、オーディオ復号器９ではオーディオストリームが、そしてＤＤＢセクション解析部１３ではデータがそれぞれ復号される。そしてこれらのビデオストリーム、オーディオストリームおよびデータが提示処理部１４へと与えられる。提示処理部１４では例えば、ビデオストリームに応じた画像プレーンと、データに応じた画像プレーンとがそれぞれ生成され、これらを合成して図示しない表示器に表示させるための処理が行われる。あるいは提示処理部１４では例えば、オーディオストリームに応じた音声再生を図示しないスピーカに行わせるための処理が行われる。
【００３２】
さて、この受信端末装置が適用されるマルチメディア伝送システムでは、データはカルーセル伝送される。そこで上述のような動作が行われる中で、一周期分受信判定部１５では、カルーセル伝送の一周期分のデータの受信が完了したか否かが判定される。そしてカルーセル伝送の一周期分のデータの受信が完了したことが確認されたならば、一周期分受信判定部１５からは停止指示が出力される（図２のＴ１時点）。この停止指示は、ＤＩＩセクション解析部１１、ＤＤＢセクション解析部１３および提示処理部１４へと入力される。
【００３３】
そうするとＤＩＩセクション解析部１１およびＤＤＢセクション解析部１３はそれぞれ図２に示すように、動作状態から停止状態へと移行する。ＤＩＩセクション解析部１１およびＤＤＢセクション解析部１３は停止状態においては、ＤＩＩおよびＤＤＢの解析処理を行わない。また提示処理部１４は図２に示すように、データに応じた画像プレーンの更新処理を停止状態とする。すなわち提示処理部１４は、既に取得してあるデータを保持しておいて、そのデータに応じた画像プレーンの表示を継続して行う状態となる。
【００３４】
さらに一周期分受信判定部１５は停止指示を出力し終えたのちに動作状態から停止状態へと移行する（図２のＴ２時点）。一周期分受信判定部１５は停止状態においては、上記の判定処理を行わない。
【００３５】
一方、更新チェック部１６では、ＤＩＩに示されるｖｅｒｓｉｏｎの変化が監視される。そして図２のＴ３時点のようにデータが変化し、ＤＩＩに示されるｖｅｒｓｉｏｎが変更されたならば、これに応じて更新チェック部１６により更新通知が出力される（図２中のＴ４時点）。この更新通知は、ＤＩＩセクション解析部１１、ＤＤＢセクション解析部１３、提示処理部１４および一周期分受信判定部１５へと入力される。
【００３６】
そうするとＤＩＩセクション解析部１１、ＤＤＢセクション解析部１３、提示処理部１４および一周期分受信判定部１５は、図２に示すように通常の動作状態へと戻る。なお、ＤＩＩセクション解析部１１、ＤＤＢセクション解析部１３、提示処理部１４および一周期分受信判定部１５が動作状態にあるときには、更新通知はリセットとして認識される。
【００３７】
かくして本実施形態によれば、カルーセル伝送の一周期分のデータの受信が完了してからデータが変化するまでの間は、ＤＩＩセクション解析部１１、ＤＤＢセクション解析部１３および一周期分受信判定部１５が動作停止状態となるとともに、提示処理部１４がデータに応じた画像プレーンの更新処理を行わない状態となる。この結果、これらの各部でのそれぞれの電力消費が低減される。このように電力消費を低減できることは、この受信端末装置を携帯型としてバッテリ駆動を行おうとする場合は、バッテリの持続時間を延長することが可能となるために特に有効である。
【００３８】
なお、本発明は上記実施形態に限定されるものではない。例えばＤＩＩセクション解析部１１、ＤＤＢセクション解析部１３および一周期分受信判定部１５の動作および提示処理部１４でのデータに応じた画像プレーンの更新処理の全てを停止する必要はなく、それらの一部は動作させたままとしても良い。
【００３９】
提示処理部１４が行う提示処理の内容は任意であって良い。従って、提示処理部１４において停止させる処理も、上記提示処理の内容に応じて変化する。
【００４０】
データの更新の検出は、ＤＩＩメッセージ中のＤｏｗｎｌｏａｄＩｎｆｏＩｎｄｉｃａｔｉｏｎ（）中に含まれるｄａｔａ＿ｅｖｅｎｔ＿ｉｄやＭｏｄｕｌｅ＿ｖｅｒｓｉｏｎ等のような他の情報に基づいて行うようにしても良い。
【００４１】
ＭＰＥＧ−２を利用したマルチメディア伝送システムにて用いられる受信端末装置に限らず、カルーセル伝送されるデータの受信を行うものであれば本発明の適用が可能である。
【００４２】
受信端末装置として実現するのみならず、任意の端末装置にモジュールとして装着されるデータ受信装置として実現することも可能である。
【００４３】
このほか、本発明の要旨を逸脱しない範囲で種々の変形実施が可能である。
【００４４】
【発明の効果】
本発明によれば、データが一周期分取り出されてから伝送信号に含まれるデータが更新されるまでの間には、データ取出手段の動作、制御情報取出手段の動作、提示手段による提示内容の更新動作、あるいは停止手段の動作を適宜停止することとしたので、この期間にはこれらの停止される動作による電力消費が低減され、この結果、カルーセル伝送されるデータの受信を効率良く行って消費電力の低減を図ることが可能なデータ受信装置となる。
【図面の簡単な説明】
【図１】本発明の一実施形態に係わる受信端末装置のブロック図。
【図２】動作停止に関わるタイミング図。
【符号の説明】
１…受信アンテナ
２…無線受信部
３，６，８，１０，１２…バッファ
４…ＴＳ分離部
５…制御部
７…ビデオ復号器
９…オーディオ復号器
１１…ＤＩＩセクション解析部
１３…ＤＤＢセクション解析部
１４…提示処理部
１５…一周期分受信判定部
１６…更新チェック部
【図１】
2004153698.tif 000003
【図２】
2004153698.tif 000004